(57)【特許請求の範囲】
【請求項１】
複数の独立した壁材と連結線とを用いて長尺な壁面パネルが形成され、該壁面パネルに該壁面パネル裏面から後方に延びる複数の延出部が設けられ、該各延出部に移動抵抗を増大させる抵抗力増大部がそれぞれ設けられている土木構築物用構築材において、
前記連結線が、前記複数の壁材を該複数の壁材の配列方向において貫通していると共に、前記壁面パネルの曲率を変更可能とすべく、該複数の壁材における隣り合う壁材間において曲折可能に設定され、
前記各延出部が、独立した状態の１本の線材とされ、
前記複数の壁材のうちの一部の壁材に、前記壁面パネルの裏面側において、該壁面パネルの上下幅と略同一長さとされた控え柱部が一体的に設けられ、
前記各線材が前記控え柱部よりも後方に延ばされて、前記抵抗力増大部が該控え柱部よりも後方に位置されている、
ことを特徴とする土木構築物用構築材。
【請求項２】
複数の独立した壁材と連結線とを用いて長尺な壁面パネルが形成され、該壁面パネルに該壁面パネル裏面から後方に延びる複数の延出部が設けられ、該各延出部に移動抵抗を増大させる抵抗力増大部がそれぞれ設けられている土木構築物用構築材において、
前記連結線として、２本が用いられ、
前記２本の連結線が、前記壁面パネルの厚み方向中央よりも該壁面パネルの裏面側寄りの位置において、上下関係を保ちつつ、前記複数の壁材を該複数の壁材の配列方向に貫通していると共に、前記壁面パネルの曲率を変更可能とすべく、該複数の壁材における隣り合う壁材間において曲折可能に設定され、
前記各延出部が、独立した状態の１本の線材とされていると共に、前記壁面パネルに対するその各線材の取付け端部が、該壁面パネルに前記２本の連結線の間に位置するようにして取付けられている、
ことを特徴とする土木構築物用構築材。
【請求項３】
複数の独立した壁材と連結線とを用いて長尺な壁面パネルが形成され、該壁面パネルに該壁面パネル裏面から後方に延びる複数の延出部が設けられ、該各延出部に移動抵抗を増大させる抵抗力増大部がそれぞれ設けられている土木構築物用構築材において、
前記連結線が、前記複数の壁材を該複数の壁材の配列方向において貫通していると共に、前記壁面パネルの曲率を変更可能とすべく、該複数の壁材における隣り合う壁材間において曲折可能に設定され、
前記壁面パネルに、前記各延出部の取付け穴を形成すべく、樹脂筒と該樹脂筒の一端側内周に嵌着されるインサートナットとが埋め込まれて、該インサートナット内が該樹脂筒の他端側内部空間を介して該壁面パネルの裏面から外方に向けて開口され、
前記各延出部が、独立した状態の１本の線材とされていると共に、前記壁面パネルに対するその各線材の取付け端部外周に雄ねじがそれぞれ形成され、
前記各線材の雄ねじが、前記樹脂筒を通って前記インサートナットに螺合されていると共に、該線材の外周と該樹脂筒との間に環状空間が形成されている、
ことを特徴とする土木構築物用構築材。
【請求項４】
複数の独立した壁材と連結線とを用いて長尺な壁面パネルが形成され、該壁面パネルに該壁面パネル裏面から後方に延びる複数の延出部が設けられ、該各延出部に移動抵抗を増大させる抵抗力増大部がそれぞれ設けられている土木構築物用構築材において、
前記連結線として、２本が用いられ、
前記２本の連結線が、前記壁面パネルの厚み方向中央よりも該壁面パネルの裏面側寄りの位置において、上下関係を保ちつつ、前記複数の壁材を該複数の壁材の配列方向に貫通していると共に、前記壁面パネルの曲率を変更可能とすべく、該複数の壁材における隣り合う壁材間において曲折可能に設定され、
前記壁面パネルに、前記各延出部の取付け穴を形成すべく、前記２本の連結線の間において、樹脂筒と該樹脂筒の一端側内周に嵌着されるインサートナットとが埋め込まれて、該インサートナット内が該樹脂筒を介して該壁面パネルの裏面から外方に向けて開口され、
前記各延出部が、独立した状態の１本の線材とされていると共に、前記壁面パネルに対するその各線材の取付け端部外周に雄ねじがそれぞれ形成され、
前記各線材の雄ねじが、前記樹脂筒を通って前記インサートナットに螺合されていると共に、該線材の外周と該樹脂筒との間に環状空間が形成されている、
ことを特徴とする土木構築物用構築材。
【請求項５】
請求項１〜４のいずれか1項において、
前記線材が、前記各壁材にそれぞれ連結されている、
ことを特徴とする土木構築物用構築材。
【請求項６】
請求項１〜４のいずれか1項において、
前記線材が、前記複数の壁材のうちの一部の壁材に対して連結されている、
ことを特徴とする土木構築物用構築材。
【請求項７】
請求項２〜４のいずれか1項において、
前記複数の壁材のうちの一部の壁材に、前記壁面パネルの裏面側において、該壁面パネルの上下幅と略同一長さとされた控え柱部が一体的に設けられ、
前記各線材が前記控え柱部よりも後方に延ばされて、前記抵抗力増大部が該控え柱部よりも後方に位置されている、
ことを特徴とする土木構築物用構築材。
【発明の詳細な説明】
【０００１】
【発明の属する技術分野】
本発明は、土木構築物用構築材に関する。
【０００２】
【従来の技術】
近時、護岸、擁壁等の土木構築物の構築においては、土木構築物用構築材が用いられる傾向にある。その土木構築物用構築材の一つとして、積み上げ施工性を高めるべく、複数の独立した壁材と連結線とを用いて長尺な壁面パネルが形成され、該壁面パネルに該壁面パネル裏面から後方に延びる複数の延出部が設けられ、該各延出部に移動抵抗を増大させる抵抗力増大部がそれぞれ設けられているものがある。例えば特開２００１−１４６７２６には、壁材部と、該壁材部から該壁材部の上下幅と同一の長さをもって後方に延びる延出部と、該延出部に設けられるフランジ状の抵抗力増大部とをコンクリートにより一体的に形成した土木用ブロックを複数用意し、その複数の土木用ブロックを連結線により連結してその各土木用ブロックの壁材部をもって長尺な壁面パネルを構成したものが示されている。このものにおいては、複数の土木用ブロックの壁材部をもって長尺な壁面パネルが構成されることから、土木用ブロックを個々に積み上げる場合に比して積み上げ施工回数を減らすことができ、しかも、連結線を各土木用ブロック間で曲げて、壁面パネルを湾曲させることもできることになる。
【０００３】
【発明が解決しようとする課題】
しかし、上記土木構築物用構築材における各土木用ブロックは、壁材部だけでなく後方に延びる延出部、その延出部に設けられる抵抗力増大部のいずれの部分も、重量安定性、移動抵抗力等を確保するためにコンクリートブロックにより構成されており、各土木用ブロック自体が、かなりの重量物となっている。このため、複数の土木用ブロックを連結して壁面パネルを構成することとした場合には、それを用いれば、積み上げ施工回数を減らすことができるものの、積み上げ作業自体が大がかりとなり、さらには、積み上げ時の微調整は手軽には行えないことになる。
【０００４】
本発明は以上のような事情を勘案してなされたもので、その技術的課題は、土木構築物を構築するための積み上げ施工回数を減らすことができるだけでなく、一連の積み上げ作業を容易にすることができる土木構築物用構築材を提供することにある。
【０００５】
【課題を解決するための手段】
上記技術的課題を達成するために本発明（請求項１の発明）にあっては、
複数の独立した壁材と連結線とを用いて長尺な壁面パネルが形成され、該壁面パネルに該壁面パネル裏面から後方に延びる複数の延出部が設けられ、該各延出部に移動抵抗を増大させる抵抗力増大部がそれぞれ設けられている土木構築物用構築材において、
前記連結線が、前記複数の壁材を該複数の壁材の配列方向において貫通していると共に、前記壁面パネルの曲率を変更可能とすべく、該複数の壁材における隣り合う壁材間において曲折可能に設定され、
前記各延出部が、独立した状態の１本の線材とされ、
前記複数の壁材のうちの一部の壁材に、前記壁面パネルの裏面側において、該壁面パネルの上下幅と略同一長さとされた控え柱部が一体的に設けられ、
前記各線材が前記控え柱部よりも後方に延ばされて、前記抵抗力増大部が該控え柱部よりも後方に位置されている構成としてある。この請求項１の発明の好ましい態様としては、請求項５、６の記載の通りとなる。
【０００６】
上記技術的課題を達成するために本発明（請求項２の発明）にあっては、
複数の独立した壁材と連結線とを用いて長尺な壁面パネルが形成され、該壁面パネルに該壁面パネル裏面から後方に延びる複数の延出部が設けられ、該各延出部に移動抵抗を増大させる抵抗力増大部がそれぞれ設けられている土木構築物用構築材において、
前記連結線として、２本が用いられ、
前記２本の連結線が、前記壁面パネルの厚み方向中央よりも該壁面パネルの裏面側寄りの位置において、上下関係を保ちつつ、前記複数の壁材を該複数の壁材の配列方向に貫通していると共に、前記壁面パネルの曲率を変更可能とすべく、該複数の壁材における隣り合う壁材間において曲折可能に設定され、
前記各延出部が、独立した状態の１本の線材とされていると共に、前記壁面パネルに対するその各線材の取付け端部が、該壁面パネルに前記２本の連結線の間に位置するようにして取付けられている構成としてある。この請求項２の発明の好ましい態様としては、請求項５〜７の記載の通りとなる。
【０００７】
上記技術的課題を達成するために本発明（請求項３の発明）にあっては、
複数の独立した壁材と連結線とを用いて長尺な壁面パネルが形成され、該壁面パネルに該壁面パネル裏面から後方に延びる複数の延出部が設けられ、該各延出部に移動抵抗を増大させる抵抗力増大部がそれぞれ設けられている土木構築物用構築材において、
前記連結線が、前記複数の壁材を該複数の壁材の配列方向において貫通していると共に、前記壁面パネルの曲率を変更可能とすべく、該複数の壁材における隣り合う壁材間において曲折可能に設定され、
前記壁面パネルに、前記各延出部の取付け穴を形成すべく、樹脂筒と該樹脂筒の一端側内周に嵌着されるインサートナットとが埋め込まれて、該インサートナット内が該樹脂筒の他端側内部空間を介して該壁面パネルの裏面から外方に向けて開口され、
前記各延出部が、独立した状態の１本の線材とされていると共に、前記壁面パネルに対するその各線材の取付け端部外周に雄ねじがそれぞれ形成され、
前記各線材の雄ねじが、前記樹脂筒を通って前記インサートナットに螺合されていると共に、該線材の外周と該樹脂筒との間に環状空間が形成されている構成としてある。この請求項３の発明の好ましい態様としては、請求項５〜７の記載の通りとなる。
【０００８】
上記技術的課題を達成するために本発明（請求項４の発明）にあっては、
複数の独立した壁材と連結線とを用いて長尺な壁面パネルが形成され、該壁面パネルに該壁面パネル裏面から後方に延びる複数の延出部が設けられ、該各延出部に移動抵抗を増大させる抵抗力増大部がそれぞれ設けられている土木構築物用構築材において、
前記連結線として、２本が用いられ、
前記２本の連結線が、前記壁面パネルの厚み方向中央よりも該壁面パネルの裏面側寄りの位置において、上下関係を保ちつつ、前記複数の壁材を該複数の壁材の配列方向に貫通していると共に、前記壁面パネルの曲率を変更可能とすべく、該複数の壁材における隣り合う壁材間において曲折可能に設定され、
前記壁面パネルに、前記各延出部の取付け穴を形成すべく、前記２本の連結線の間において、樹脂筒と該樹脂筒の一端側内周に嵌着されるインサートナットとが埋め込まれて、該インサートナット内が該樹脂筒を介して該壁面パネルの裏面から外方に向けて開口され、
前記各延出部が、独立した状態の１本の線材とされていると共に、前記壁面パネルに対するその各線材の取付け端部外周に雄ねじがそれぞれ形成され、
前記各線材の雄ねじが、前記樹脂筒を通って前記インサートナットに螺合されていると共に、該線材の外周と該樹脂筒との間に環状空間が形成されている構成としてある。この請求項４の発明の好ましい態様としては、請求項５〜７の記載の通りとなる。
【０００９】
【発明の効果】
請求項１〜４に記載された発明によれば、複数の独立した壁材が連結されて、壁面パネルが構成されていることから、当該土木構築物用構築材を用いることにより、従来通り、積み上げ施工回数を減らすことができる一方、各延出部が線材であることにより、当該土木構築物用構築材の重量を格段に低減させて積み上げ作業を軽減できると共に、積み上げ時における位置決めの微調整を容易に行うことができることになる。しかも、連結線を各壁材間で曲げるに際しては、各延出部が、壁面パネルの上下幅に比してかなり細い線材であることから、延出部が干渉することを簡単に回避させて、壁面パネルを、単に湾曲させる程度にとどまらず直角程度等にも曲げることができ、壁面パネルの曲率をかなり大きくすることもできることになる。このため、壁面パネルの曲率決定の自由度を高めることができることになる。
【００１０】
また、連結線が、複数の壁材を該複数の壁材の配列方向において貫通していると共に、壁面パネルの曲率を変更可能とすべく、該複数の壁材における隣り合う壁材間において曲折可能に設定されていることから、各壁材相互の連結強度を確保できる一方、壁面パネルを確実に曲げたり、湾曲させたりすることができることになる。
【００１１】
さらに、複数の壁材のうちの一部の壁材に、壁面パネルの裏面側において、該壁面パネルの上下幅と略同一長さとされた控え柱部が一体的に設けられていることから、壁面パネルがパネル状であっても控え柱部を利用して裏込め材料の充填なしに、その壁面パネルを複数段に亘って積み上げる（起立させる）こともできることになり、壁面パネルを積み上げる毎に裏込め材料を充填する場合に比べて作業の迅速化を図り、施工性を向上させることができることになる。
【００１２】
請求項５に記載された発明によれば、線材が各壁材にそれぞれ連結されていることから、各壁材に対してその壁材に連結される線材を介して抵抗力増大部の抵抗力を働かせることができるだけでなく、その各壁材の抵抗力を連結線を介して他の壁材にも及ぼすことができることになり、当該土木構築物用構築材を用いることにより極めて強固な土木構築物を構築できることになる。
【００１３】
請求項６に記載された発明によれば、線材が、複数の壁材のうちの一部の壁材に対して連結されていることから、一部の壁材に連結された線材における抵抗力増大部の抵抗力を、連結線を介して壁面パネル（特に、線材を連結しない壁材）に及ぼして、壁面パネルに対する移動抵抗を効果的に確保できる一方、各壁材に線材をそれぞれ設ける場合に比して当該土木構築物用構築材の重量を軽減でき、一層、一連の積み上げ作業の容易化を図ることができることになる。
【００１４】
請求項７に記載された発明によれば、複数の壁材のうちの一部の壁材に、壁面パネルの裏面側において、該壁面パネルの上下幅と略同一長さとされた控え柱部が一体的に設けられていることから、壁面パネルがパネル状であっても控え柱部を利用して裏込め材料の充填なしに、その壁面パネルを複数段に亘って積み上げる（起立させる）こともできることになり、壁面パネルを積み上げる毎に裏込め材料を充填する場合に比べて作業の迅速化を図り、施工性を向上させることができることになる。
【００１５】
【発明の実施の形態】
以下、本発明の実施形態について図面に基づいて説明する。
図１〜図５は第１実施形態を示すものである。この第１実施形態において、符号１は、土木構築物としての擁壁で、この擁壁１は、土木構築物用構築材２を、基礎コンクリート３から順次、階段状に積み上げることにより構築されている。
【００１６】
前記土木構築物用構築材２は、図１〜図４に示すように、壁面パネル４と、アンカー５とを備えている。壁面パネル４は、複数（本実施形態においては５つ）の独立した壁材としての擬石ブロック６が一列に連結されて長尺なパネル状に形成されており、各擬石ブロック６は、コンクリートを用いて厚板状で且つ長方形状に形成されている（例えば、縦辺Ｌ１：２５０ｍｍ前後、横辺Ｌ２：４００ｍｍ前後、厚みＬ３：１００ｍｍ前後）。この各擬石ブロック６は、その前面に粗雑な凸凹をもって自然環境に調和する模様が施され、その各擬石ブロック６の裏面の略中央部には、一つの取付け穴７が形成されている。この取付け穴７は、本実施形態においては、図５に示すように、先端部に樹脂筒（例えばＡＢＳ樹脂製）３０が嵌着されたインサートナット３１により構成されており、インサートナット３１内は樹脂筒３０内を介して外部に開口されている。この各擬石ブロック６は、該各擬石ブロック６の横辺が横方向に連続するように配列されており、その全ての擬石ブロック６は、その各擬石ブロック６を横方向に貫通する連結線としての鉄筋８（本実施形態においては２本の鉄筋８）により、互いに連結されている。この２本の鉄筋８は、上下関係を保った状態で壁面パネル４の裏面側寄りに位置されて、前後方向（図４中、左右方向）において、一列をなすように配設（前後方向所定位置で上下関係をもって配置）されており、その各鉄筋８は、所定以上の荷重を加えることにより容易に曲げることができるように設定されている。この所定以上の荷重は、各擬石ブロック６の連結強度を確保できることを前提に、曲げ作業性を考慮して適宜決められることになっている。このため、擬石ブロック６間の隙間を考慮にいれつつ、鉄筋８を各擬石ブロック６間において曲げることによって、壁面パネル４の前面を所望曲率の湾曲面、直角状態等に形成できることになっている。
【００１７】
前記壁面パネル４の裏面には、その横方向内方側において、一対の控え柱部９が一体的に設けられている。この控え柱部９は、壁面パネル４を構成する横方向内側の擬石ブロック６と共に一体的に形成されて、その擬石ブロック６の上下幅と同一長さを維持しつつ、壁面パネル４の裏面から後方に一定長さＬ４（例えば２５０ｍｍ前後）をもって延びている。この控え柱部９の下面には、横方向に延びる位置決め溝１０が形成されている一方、その控え柱部９上面には、その位置決め溝１０に対応して、位置決め突部１１が嵌合可能に形成されている。
【００１８】
前記アンカー５は、本実施形態においては、図１、図３、図４に示すように、その一端部をもって（図１中、左端部）前記各擬石ブロック６にそれぞれ連結されている。このアンカー５には、擬石ブロック６の使用時（積み上げ状態時）の移動（滑落）を裏込め材料（胴込材：アンカー５を埋設する埋設材、例えば、土砂、割栗石、砕石等）との抵抗により防ぐべく、軸状部１２（延出部、線材）、湾曲部としてのカール部１３（抵抗力増大部）、ストッパパネル１４（抵抗力増大部）等が備えられている。
【００１９】
上記軸状部１２及びカール部１３は、直線材により一体的に形成されている。直線材は、強度、加工性等を考慮して、鉄線、鉄筋、パイプ等が好ましく、本実施形態においては、線径６ｍｍ程度の鉄線（アルミニウムを１０％程度含有）が用いられている。この直線材の外周には、錆止めを目的として、メッキ層、樹脂被覆層を形成するのが好ましい。上記軸状部７は、真っ直ぐ延びており、その全長Ｌ５は、０．５〜１．５ｍ程度、好ましくは０．５ｍ〜０．８ｍ程度とされている。この軸状部１２の一端部外周には、雄ねじ３２が形成されており、この雄ねじ３２は、前記擬石ブロック６内におけるインサートナット３１に樹脂筒３０を介して螺合されている。
【００２０】
前記カール部１３は、図１、図３に示すように、軸状部１３の他端部（図１の左端部）がカ−ル状に巻かれて形成されている。このカール部１３内には、内径３０ｍｍ前後の円状の孔が形成されており、その孔の形成後、そのアンカー５の他端部（湾曲終端部）は、巻き付け部として、軸状部１２に巻かれることになっている。
【００２１】
前記ストッパパネル１４は、図１、図３に示すように、その板面を軸状部１２の延び方向に向けつつ該軸状部１２に移動可能に保持されている。ストッパパネル１４は、樹脂、例えばＡＢＳ樹脂を用いて、一辺が１５０ｍｍ前後、厚みが６ｍｍ前後とされた正方形状の合成樹脂板とされており、その中心部に挿通孔（図示略）が形成されている。このストッパパネル１４の挿通孔には、軸状部１２が挿通されており、ストッパパネル１４は、軸状部１２を移動できる一方、カール部１３によってその移動が規制されることになっている。
【００２２】
このような土木構築物用構築材２を用いて擁壁１を構築するには（単位区間（一土木構築物用構築材２の横全長）当たりの場合）するには、土木構築物用構築材２を基礎コンクリート３から順次、階段状に積み上げられることになるが、この場合、上下関係にある土木構築物用構築材２の一対の控え柱部９が重なるように配置されると共に、その下段側における土木構築物用構築材２の位置決め突部１１が上段側における土木構築物用構築材２の壁面パネル４に当接して前後方向の位置決めを行うことになる。勿論、各土木構築物用構築材２の位置決め溝１０，位置決め突部１１を図６に示すように設け、下段側における土木構築物用構築材２の位置決め突部１１が上段側における土木構築物用構築材２の位置決め溝１０に嵌合することによって、位置決めを行うようにしてもよい。一方、各土木構築物用構築材２の積み上げに伴い、各土木構築物用構築材２においては、アンカー５が壁面パネル４から後方に略水平に延びることになるが、このアンカー５は、裏込め材料１５により埋設される。この裏込め材料１５の充填は、土木構築物用構築材２の積み上げの度に行われ、本実施形態においては、上下関係にある土木構築物用構築材２（壁面パネル４）の段差間に植物が生育するようにするべく、各土木構築物用構築材２における壁面パネル４から控え柱部９までの間において植生土砂１６が充填され、控え支持部９よりも後方側においては、再生クラッシャ（Ｃ40〜0）、砕石、栗石等１７が充填されて、それらとストッパパネル１４との係合により前方への大きな移動抵抗が確保される。尚、図１中、符号１８は天端コンクリート、符号１９は吸い出し防止シートである。
【００２３】
したがって、このような土木構築物用構築材２１を積み上げに用いれば、各土木構築物用構築材２におけるストッパパネル１４と裏込め材料１５との係合に基づく大きな移動抵抗を、鉄筋８を介して全ての擬石ブロック６（壁面パネル４）に及ぼすことができることになり、強固な擁壁１を構築することができることになる。
【００２４】
この場合、複数の擬石ブロック６を連結した壁面パネル４を用いることから、その壁面パネル４を構成する擬石ブロック６を個々に積み上げる場合に比して、積み上げ作業回数を減らすことができる一方、土木構築物用構築材２が、擬石ブロック６にのみコンクリートブロックを用い、アンカー５の要素１２，１４として、軽量なものを用いていることにより、土木構築物用構築材２の軽量化を図ることができることになり（本実施形態においては、１３０ｋｇ程度の重量）、土木構築物用構築材２の積み上げ作業負担を軽減できるばかりか、その際における位置の微調整を人力により可能として容易に行うことができることになる。
【００２５】
また、土木構築物用構築材２が、擬石ブロック６にのみコンクリートブロックを用い、アンカー５として、細い軸状部１２や、ストッパパネル１４を設けているにすぎないことから、壁面パネル４を曲げる場合において、各土木構築物用構築材２の軸状部１２等が交差する場合でも、ほとんど干渉することはなく、干渉するおそれがあっても、アンカー５を曲げて簡単に干渉を回避することができることになる。このため、図７に示すように、壁面パネル４を湾曲するだけでなく、壁面パネル４を直角に曲げることもでき、種々の土木構築物の構築に的確に対応することができることになる。
【００２６】
次に、上記土木構築物用構築材２の製造方法について説明する。先ず、図８に示すように、複数の擬石ブロック相当空間２１を直列的に有する壁面パネル成形型２２を用意し、その壁面パネル成形型２２内における複数の擬石ブロック相当空間２１内に２本の鉄筋８を、その全ての擬石ブロック相当空間２１を横切るようにしつつ収納する。この場合、２本の鉄筋８は、着脱可能な押さえ板２３をもって壁面パネル成形型２２に保持される。
【００２７】
次に、図８に示すように、上記壁面パネル成形型２２内にコンクリートを注入する。独立した複数の擬石ブロック６を成形すると共に、その複数の擬石ブロック６内に２本の鉄筋８を横切るように埋設するためである。
【００２８】
次に、図９に示すように、壁面パネル成形型２２内の各擬石ブロック６が未硬化状態のうちに、壁面パネル成形型２２（フランジ）上の所定の２位置に控え柱部成形型２４を固定（固定具は図示略）すると共に、樹脂筒３０を介してインサートナット３１を保持（嵌合状態）するボルト２６を複数備える帯状の支持部材２５を略水平状態になるように壁面パネル成形型２２及び控え柱部成形型２４に固定して、各ボルト２６が保持するインサートナット３１及び樹脂筒３０を未硬化状態の各擬石ブロック６内に進入させる。控え柱部９の成形の準備をすると共に、各擬石ブロック６の裏面側内に未硬化状態であることを利用してインサートナット３１及び樹脂筒３０を埋め込むためである。この場合、控え柱部成形型２４は、本実施形態においては、横方向両側から内方側に向かって２番目の擬石ブロック６に臨むように配置される。
【００２９】
次に、図９に示すように、壁面パネル成形型２２内の各擬石ブロック６が未硬化状態の間に、前記控え柱部成形型２４内にコンクリートを充填する。壁面パネル４の裏面に一対の控え柱部９を一体的に設けるためである。
【００３０】
次に、壁面パネル成形型２２内及び控え柱部成形型２４内のコンクリートの硬化後、脱型する。この場合、支持部材２５を、壁面パネル成形型２２及び控え柱部成形型２４から取り外して持ち上げることにより、各ボルトを各樹脂筒３０から抜く。このとき、インサートナット３１にフランジ部３１ａが設けられ、樹脂筒３０の外径が擬石ブロック６の内方ほど拡径されていることから、インサートナット３１等が同時に抜けることはない。そしてこの後、壁面パネル４を壁面パネル成形型２２から取り出す。この壁面パネル４を壁面パネル成形型２２から取り出すに際しては、擬石ブロック６に引っかけ金具を取付けておき、それに対して取り出し力を作用させるのが好ましい。
【００３１】
次に、図１０に示すように、壁面パネル４における各擬石ブロック６のインサートナット３１にアンカー５の一端部の雄ねじ３２を螺合する。これにより、アンカー５の一端部が各擬石ブロック６に一体化されることになり、当該土木構築物用構築材２が得られることになる。
【００３２】
図１１は第２実施形態、図１２は第３実施形態、図１３，図１４は第４実施形態を示す。この各実施形態において、前記第１実施形態と同一構成要素については同一符号を付してその説明を省略する。
【００３３】
図１１に示す第２実施形態は、第１実施形態に係る土木構築物用構築材の変形例を示す。この実施形態に係る土木構築物用構築材２においては、壁面パネル４における全ての擬石ブロック６にアンカー５がそれぞれ設けられておらず、一部分の擬石ブロック６にしかアンカー５が設けられていない。しかし、このような構成であっても、全ての擬石ブロック６が鉄筋８により連結されていること、一部分の擬石ブロック６に設けられるストッパパネル１４による抵抗力でも十分な抵抗力があることを利用して、その一部分の擬石ブロック６における抵抗力をもって壁面パネル４全体の移動抵抗を確保できることになっている。その一方、アンカー５の数を少なくすることにより、土木構築物用構築材２の重量をより軽減して、積み上げ時の施工を、一層容易にすることができることになる。
【００３４】
図１２に示す第３実施形態は、壁面パネル４を、傾斜面を形成するように積み上げたものである。このものにおいては、各壁面パネル４が傾斜面を形成する場合、そのままでは、アンカー５が下向きに延びて抵抗力が低下することを考慮し、アンカー５の一端部が曲げられて、各壁面パネル４が傾斜面を形成しても、各アンカー５は、略水平に延ばされることになっている。またこの場合、壁面パネル４がパネル状であっても控え柱部９を利用して裏込め材料１５の充填なしに、その壁面パネル４を複数段（例えば２段）に亘って積み上げる（起立させる）こともできることになり、壁面パネル４を積み上げる毎に裏込め材料１５を充填する場合に比べて作業の迅速化を図ることができ（裏込め材料１５の充填工程の一部省略）、施工性を向上させることができることになる。
【００３５】
特に本実施形態においては、土木構築物用構築材２の積み上げにおいて、下段における土木構築物用構築材２の位置決め突部１１を上段における土木構築物用構築材２の位置決め溝１０に嵌合する構成とされていることから、少なくとも最下段の土木構築物用構築材２をアンカー５と裏込め材料１５とによる移動抵抗力に基づき移動不能としてしまえば、以下、裏込め材料１５を充填しなくても、確実に複数の土木構築物用構築材２を積み上げることができ、或いは、一層、多くの土木構築物用構築材２を裏込め材料１５の充填なしに積み上げることができることになる。
【００３６】
図１３，図１４に示す第４実施形態は、第３実施形態の変形例を示すものである。この第４実施形態においては、図１４に示すように、各土木構築物用構築材２の控え柱部９に貫通孔としての縦孔３５がそれぞれ形成されており、この各土木構築物用構築材２を積み上げたときには、その各土木構築物用構築材２における控え柱部９の縦孔３５は連続して連なることになっている。一方、基礎コンクリート３には連結線材としての鉄筋３６が、その下端部をもって保持されており、鉄筋３６は基礎コンクリート３から上方に向けて立ち上げられることになっている。そして、この鉄筋３６には、前記各土木構築物用構築材２における控え柱部９の縦穴３５が順次通されると共にその各縦孔３５にはモルタルが充填されることになっており、各土木構築物用構築材２の一体性が一層高められることになっている。このため、この第４実施形態においては、より強固な擁壁１を得ることができることになる。
【００３７】
尚、本発明の目的は、明記されたものに限らず、実質的に好ましい或は利点として記載されたものに対応したものを提供することをも暗黙的に含むものである。
【００３８】
１）壁材として、自然石を用いること。
２）控え柱部を、適宜、設けたり、省いたりすること。
３）土木構築物として、擁壁に限らず護岸等も対象になること。
４）擬石ブロック６の裏面に取付け穴７を形成し、その取付け穴７内に接着剤を充填すると共にアンカー５の一端部を挿入して、擬石ブロック６とアンカー５とを一体化すること。
【図面の簡単な説明】
【図１】第１実施形態に係る擁壁を示す縦断面図。
【図２】図１の正面図。
【図３】第１実施形態に係る土木構築物用構築材を示す斜視図。
【図４】図１の部分拡大図。
【図５】擬石ブロックとアンカーとの一体化を説明する拡大説明図。
【図６】第１実施形態に係る土木構築物用構築材の位置決めの変形例を説明する説明図。
【図７】第１実施形態に係る土木構築物用構築材の用い方の一例を説明する説明図。
【図８】第１実施形態に係る土木構築物用構築材の製造方法を示す説明図。
【図９】図８の続きの工程を示す図。
【図１０】図９の続きの工程を示す図。
【図１１】第２実施形態に係る土木構築物用構築材を示す斜視図。
【図１２】第３実施形態に係る擁壁を示す縦断面図。
【図１３】第４実施形態に係る擁壁を示す縦断面図。
【図１４】第４実施形態に係る土木構築物用構築材を示す斜視図。
【符号の説明】
１ 擁壁（土木構築物）
２ 土木構築物用構築材
４ 壁面パネル
５ アンカー（延出部、抵抗力増大部）
６ 擬石ブロック（壁材）
７ 取付け穴
１２ 軸状部（線材）
１３ カール部（抵抗力増大部）
１４ ストッパパネル（抵抗力増大部）
３５ 縦孔（貫通孔）
３６ 鉄筋（連結線材）
【図１】
0003883830.tif 000002
【図２】
0003883830.tif 000003
【図３】
0003883830.tif 000004
【図４】
0003883830.tif 000005
【図５】
0003883830.tif 000006
【図６】
0003883830.tif 000007
【図７】
0003883830.tif 000008
【図８】
0003883830.tif 000009
【図９】
0003883830.tif 000010
【図１０】
0003883830.tif 000011
【図１１】
0003883830.tif 000012
【図１２】
0003883830.tif 000013
【図１３】
0003883830.tif 000014
【図１４】
0003883830.tif 000015